(57)【要約】【課題】植物が繁茂した壁面の点検を容易に行うことができるとともに、短期間で植物を繁茂させてコンクリート構造物の壁面を緑化することができる植栽ボックス付きコンクリート壁面緑化パネルを提供する。【解決手段】コンクリート構造物の壁面３Ａの上部に設置される植栽ボックス４に、表面に自然石６が貼り付けられた基板７が常時は壁面３Ａを覆うように懸架支持されている。植栽ボックス４内に給水管８から給水された水の一部が、側壁４Ａの水孔１１から基板７側に流出し、基板７を透過して自然石６表面に滲出して自然石６表面で苔や蔓性の植物を繁茂させて、短期間に壁面３Ａを緑化する。また、壁面３Ａの点検や補修のために、基板７は壁面３Ａから上方に回動させた、取り外しすることができる。【選択図】図１
0003143105.tif 000002
【実用新案登録請求の範囲】
【請求項１】
コンクリート壁の天端に設置する植栽ボックスと、植栽ボックスの側壁に連結されて懸架支持され、且つ、表面に自然石が貼り付けてある基板とを備え、植栽ボックスには給水管が付設され、植栽ボックスの側壁下部に水孔が形成されており、基板表面に水が滲出するようにしてある植栽ボックス付きコンクリート壁面緑化パネル。
【請求項２】
コンクリート壁の天端に設置する植栽ボックスと、植栽ボックスの側壁に回動自在且つ着脱自在に連結されて懸架支持され、且つ、表面に自然石が貼り付けてある基板とを備え、植栽ボックスには給水管が付設され、植栽ボックスの側壁下部に水孔が形成されており、基板表面に水が滲出するようにしてある植栽ボックス付きコンクリート壁面緑化パネル。
【請求項３】
請求項２において、基板が植栽ボックスの側壁に回動自在且つ連結分離自在なヒンジを介して連結されている植栽ボックス付きコンクリート壁面緑化パネル。
【請求項４】
請求項２又は３において、基板の上部側に複数の小孔が形成してある植栽ボックス付きコンクリート壁面緑化パネル。
【請求項５】
請求項２又は３において、基板が柔軟で屈曲自在なシートである植栽ボックス付きコンクリート壁面緑化パネル。
【考案の詳細な説明】
【技術分野】
【０００１】
本考案は、コンクリート構造物の壁面に植物を繁茂させて短期間に修景できるようにするための植栽ボックス付きコンクリート壁面緑化パネルに関する。
【背景技術】
【０００２】
近年、高速道路等の遮音壁や土留壁等のコンクリート構造物の無機質な壁面に植物を繁茂させて、景観を改善するとともに、車両の走行音の遮音や、特に夏期における壁面の温度上昇を抑制する様々な方策が提案されている。
【０００３】
例えば、特許文献１（特開平６−２４８６５６号公報）には、土留壁に、一方側に開口する窓部を有する緑化カプセル内に客土や種子などを詰めた緑化カプセルを埋設して土留壁に緑化空間を形成する技術が開示されている。
【０００４】
また、特許文献２（特開２００４−１９４６０８号公報）には、コンクリート土留壁や高速道路の遮音壁等の壁面に、繊維が絡み合った立体マットを取り付け、立体マットにコケを定着させ、その上に更に蔦植物を繁茂させて壁面を緑化する技術が提案されている。
【特許文献１】特開平６−２４８６５６号公報
【特許文献２】特開２００４−１９４６０８号公報
【考案の開示】
【考案が解決しようとする課題】
【０００５】
特許文献１や特許文献２に記載されている従来提案されているコンクリート壁面の緑化技術においては、コンクリート壁面に植物が繁茂してしまうと、壁面のクラック等の点検が困難であり、また、壁面に植物を育成させるために、壁面に緑化カプセルを埋設したり立体マットを設置する作業が必要であるとともに、壁面が緑化されるまでに時間がかかるという問題があった。
【０００６】
そこで、本考案は、前述したような従来技術における問題を解決し、植物が繁茂した壁面の点検を容易に行うことができるとともに、短期間で植物を繁茂させてコンクリート構造物の壁面を緑化することができる植栽ボックス付きコンクリート壁面緑化パネルを提供することを目的とする。
【課題を解決するための手段】
【０００７】
本考案のコンクリート壁面緑化パネルは、コンクリート構造物の天端に設置する植栽ボックスと、植栽ボックスの側壁に基板が連結されて懸架支持されたものであり、基板の表面に自然石が貼り付けてあり、植栽ボックスには給水管が付設され、植栽ボックスの側壁下部に水孔が形成され、基板は、少なくとも水孔に対応する部分が透水性を有しており、植栽ボックス内に給水管から供給された水が基板表面に滲出するようにしたものである。
【０００８】
また、壁面緑化パネルは、コンクリート構造物の天端に設置する植栽ボックスと、植栽ボックスの側壁に回動自在且つ着脱自在に連結されて懸架支持され、表面に自然石が貼り付けてある基板とを備え、植栽ボックスには給水管が付設され、植栽ボックスの側壁下部に水孔が形成され、基板は、少なくとも水孔に対向する部分が透水性を有しており、植栽ボックス内に給水管から供給された水が基板表面に滲出するようにしたものである。
【０００９】
基板としては、屈曲可能なシートであってもよく、連結手段は適宜の手段を採用することができる。また、基板をヒンジで植栽ボックスに連結することによってコンクリート構造物壁面の検査を容易に行うことをできるようにしたものである。
植栽ボックスと基板を連結した状態では運搬に支障をきたすので、分離した状態で現場まで運搬して連結するものである。
【考案の効果】
【００１０】
本考案のコンクリート壁面緑化パネルによれば、設置した植栽ボックス内で植物を生育させることができ、また、植栽ボックス内に給水管から供給された水が、基板を透過または通過して、基板表面を常時湿潤状態とすることができ、苔類が生育しやすい状態となる。また、植栽ボックスに蔓性の植物を植栽することで、繁茂した植物が基板表面に垂れ下がってきて基板全体を覆うため、単調で無機質なコンクリート壁面の景観を緑化によって改善することができる。
【００１１】
夏季においては、繁茂した蔓性の植物や苔類でコンクリート壁面が覆われるため、直射日光による壁面の温度上昇が抑制され、植物の蒸散作用によって周囲が冷却されてヒートアイランド現象を緩和することができる。
【００１２】
さらに、基板が、植栽ボックスに回動自在且つ着脱自在に連結してあるので、基板を上方に回動させたり取り外すことによってコンクリート構造物の壁面を露出させてクラック等の点検や補修を容易に行うことができる。
【００１３】
また、基板が植栽ボックスの側壁にヒンジを介して連結されているため、表面に自然石が貼り付けられている基板と植栽ボックスとの連結部の耐久性や信頼性を高めることができる。
【００１４】
基板が柔軟なシートで構成されているため、設置が容易であり、施工コストや材料コストを低減することができる。
【考案を実施するための最良の形態】
【００１５】
図１は、本考案に係るコンクリート壁面緑化パネルの１実施例を示す斜視断面図であって、コンクリート壁面緑化パネル（以下、単に緑化パネルという。）１を道路２などの路肩に形成されているコンクリート製の土留壁３に適用した場合を示したものである。
【００１６】
緑化パネル１は、コンクリート製土留壁３の上面の壁面３Ａの天端に植栽ボックス４が設置されている。この植栽ボックス４の壁面３Ａ側の側壁４Ａの上部にヒンジ５を介して基板７が連結されている。基板７は、コンクリート製、樹脂製、金属製のパネル、または、樹脂製のシートであり表面には自然石６が貼り付けられている。
【００１７】
植栽ボックス４は、その長手方向をコンクリート製土留壁３の壁面３Ａに沿って、側壁４Ａは壁面３Ａとほぼ同一面となるように設置されている。植栽ボックス４内上部には、給水管８が配管されている。
【００１８】
この給水管８には、図示していないが、長手方向に多数の孔が所定間隔で設けられていて、給水管８に供給された水がこれらの孔から均等に植栽ボックス４内に散水されて土９内に浸透し、植栽された植物に水分を供給する。なお、この給水管８は、植栽ボックス４内に給水できるものであればよく、外部から引き込んだ給水ホースで代用してもよい。
【００１９】
また、この植栽ボックス４のコンクリート製土留壁３の壁面３Ａ側に面している側壁４Ａの下部には、多数の水孔１１が形成されていて、給水管８から植栽ボックス４内に供給された水が、水孔１１を通過して基板７に設けた孔（図示しない）から表面側に滲み出すようになっている。
【００２０】
基板７は、詳細な図示は省略しているが、水孔１１から流出した水を表面側に滲出させるための小孔を設けたコンクリート製パネルであり、表面に自然石６を貼り付けて固定している。
【００２１】
自然石６は、透水性と保水性が良好な溶岩のような多孔質のものを薄板状に加工したものが好ましい。多孔質岩石は湿潤状態を保ちやすいため、苔等が付着して生育しやすい環境を提供することができる。
【００２２】
自然石６は、必ずしも透水性や保水性を備えていなくてもよく、その場合にも、自然石６どうしの間隙に砂を付着させておき、基板７の表面が湿潤状態に保持されるようにする。
【００２３】
このようにして、基板７を通して浸透してくる水分によって基板表面が常に湿潤状態に保たれることで、基板表面は苔類によって覆われ、植栽ボックス４内で成長した蔓性の植物が基板７の表面を覆い壁面３Ａを短期間に緑化し、景観を向上させることができる。
【００２４】
特に夏季の太陽の直射が強く、気温が高くなる時期においては、湿潤状態に保たれている基板７の表面を覆う蔓性の植物によってコンクリート製土留壁等の構造物の表面温度の上昇を抑制でき、また、植物の蒸散作用によって周辺が冷却されるので、ヒートアイランド現象が緩和される。
【００２５】
図２は、コンクリート製土留壁３の壁面３Ａの点検や補修を行うために、基板７を上方に跳ね上げて壁面３Ａを露出させた状態を示す断面図であって、緑化パネル１は、ヒンジ５を軸にして、自然石６とともに基板７を壁面３Ａから上方に跳ね上げてコンクリート製土留壁表面を露出させている。
【００２６】
詳細な構造は図示していないが、ヒンジ５は、植栽ボックス４の側壁４Ａの上端に固定されている部分の上半分を開いてヒンジ５の基板７側に固定されている部分とヒンジ軸とを分離することができるので、必要に応じて、壁面３Ａから基板７を完全に取り外すことができ、簡単に基板７の交換をすることができる。
【００２７】
また、基板７は、強風時に風で煽られて壁面３Ａから浮き上がらないように、下部に固定具（図示しない）を必要に応じて設ける。
【００２８】
基板７は、屈曲自在な樹脂製シートで構成し、その上端部を植栽ボックスの壁面にボルト・ナット等の連結部材で着脱自在に連結するようにしてもよい。
【００２９】
この場合、シートの素材として、玄武岩を紡糸して製造される、強靱で有害物質を出さないバサルトファイバーから織成した布にシリコン層を積層したものが使用でき、シリコン層の表面に自然石を埋設固定する。
【００３０】
また、バサルトファイバーから織成した布の裏面には、例えばヤシの繊維を絡み合わせて形成した保水層を積層するとともに、シリコン層に多数の水孔を形成して、透水性と保水性を確保する。また、シートは、強風時に煽られないように壁面から突出させたアンカー材等に適宜間隔で固定する。
【産業上の利用可能性】
【００３１】
本考案のコンクリート壁面緑化パネルは、高速道路等の遮音壁や土留壁、擁壁等のコンクリート構造物の壁面を緑化して修景するために利用することが可能であり、さらに、河川の護岸においても広く利用することが可能である。
【図面の簡単な説明】
【００３２】
【図１】壁面緑化パネルの斜視断面図。
【図２】基板を上方に回動して壁面を露出させた状態の断面図。
【符号の説明】
【００３３】
１    緑化パネル
２    路面
３    コンクリート土留壁
３Ａ  壁面
４Ａ  側壁
５    ヒンジ
６    自然石
７    基板
８    給水管
９    土
１０    植物
１１    水孔
【図１】
0003143105.tif 000003
【図２】
0003143105.tif 000004